(57)【要約】【課題】誤ってスイッチを押しても、通信手段が外部へ通信可能になるのを防ぐことができるエレベータ装置を得る。【解決手段】エレベータのかごに設けられ、作動することでインターホン１２が外部へ通信可能になるインターホン呼出スイッチ４と、インターホン１２を制御する制御部３とを備え、インターホン呼出スイッチ４は、固定部７と、固定部７に対して往復移動可能な本体部８とを有し、固定部７には、第１の固定接点９ａおよび第２の固定接点９ｂが設けられ、本体部８には、押圧することで第１の固定接点９ａと接続可能な第１の可動接点１０ａと、引出すことで第２の固定接点９ｂと接続可能な第２の可動接点１０ｂとが設けられ、第１の固定接点９ａと第１の可動接点１０ａとが接続した後、第２の固定接点９ｂと第２の可動接点１０ｂとが接続すると、制御部３は、インターホン１２を外部へ通信可能にする。【選択図】図３
2008143673.tif 000002
【特許請求の範囲】
【請求項１】
エレベータのかご内に設けられ、外部へ通信可能な通信手段を作動するスイッチと、
前記スイッチおよび前記通信手段とそれぞれに接続され、前記通信手段を制御する制御部とを備え、
前記スイッチは、
前記かご内に固定された固定部と、
前記固定部に設けられ、前記固定部に対して移動または回転可能な本体部と、
前記固定部に設けられ、前記制御部と電気的に接続された第１の固定接点および第２の固定接点と、
前記本体部に設けられ、一方向に移動することで前記第１の固定接点と接続可能な第１の可動接点および他方向に移動することで前記第２の固定接点と接続可能な第２の可動接点とを有し、
前記第１の固定接点と前記第１の可動接点とが接続した後、前記第２の固定接点と前記第２の可動接点とが接続すると、前記制御部は、前記通信手段を外部へ通信可能にすることを特徴とするエレベータ装置。
【請求項２】
前記制御部は、タイマーを有し、
前記第１の固定接点と前記第１の可動接点とが接続した後、所定の時間内に、前記第２の固定接点と前記第２の可動接点とが接続すると、前記通信手段が外部へ通信可能になることを特徴とする請求項１に記載のエレベータ装置。
【請求項３】
前記かご内には、前記制御部と電気的に接続され、前記スイッチが作動すると、前記制御部からの電気信号により点灯するランプが設けられていることを特徴とする請求項１または請求項２に記載のエレベータ装置。
【請求項４】
前記ランプは、前記スイッチが作動して前記通信手段が外部と通信可能になった後、前記制御部からの電気信号により消灯することを特徴とする請求項３に記載のエレベータ装置。
【請求項５】
前記通信手段は、インターホンであることを特徴とする請求項１ないし請求項４の何れか１項に記載のエレベータ装置。
【発明の詳細な説明】
【技術分野】
【０００１】
この発明は、外部へ通信可能な通信手段を作動するスイッチを備えたエレベータ装置に関する。
【背景技術】
【０００２】
従来、エレベータのかご内に設けられ、押下げることでインターホンが外部へ通報可能になるボタンを備えたエレベータ装置が知られている（例えば、特許文献１参照）。
【０００３】
【特許文献１】特開２００５−１０４６１５号公報
【発明の開示】
【発明が解決しようとする課題】
【０００４】
しかしながら、このものの場合、利用者が誤ってボタンを押してしまっても、インターホンが外部へ通報可能になってしまうという問題点があった。
【０００５】
この発明は、上述のような問題点を解決することを課題とするものであって、その目的は、利用者が誤ってスイッチを押した場合には、通信手段が外部へ通信可能になるのを防ぐことができるエレベータ装置を提供するものである。
【課題を解決するための手段】
【０００６】
この発明に係るエレベータ装置は、エレベータのかご内に設けられ、外部へ通信可能な通信手段を作動するスイッチと、前記スイッチおよび前記通信手段とそれぞれに接続され、前記通信手段を制御する制御部とを備え、前記スイッチは、前記かご内に固定された固定部と、前記固定部に設けられ、前記固定部に対して移動または回転可能な本体部と、前記固定部に設けられ、前記制御部と電気的に接続された第１の固定接点および第２の固定接点と、前記本体部に設けられ、一方向に移動することで前記第１の固定接点と接続可能な第１の可動接点および他方向に移動することで前記第２の固定接点と接続可能な第２の可動接点とを備え、前記第１の固定接点と前記第１の可動接点とが接続した後、前記第２の固定接点と前記第２の可動接点とが接続すると、前記制御部は、前記通信手段を外部へ通信可能にする。
【発明の効果】
【０００７】
この発明に係るエレベータ装置によれば、誤ってスイッチを押しても、通信手段が外部へ通信可能になるのを防ぐことができる。
【発明を実施するための最良の形態】
【０００８】
実施の形態１．
図１は実施の形態１に係るエレベータのかご内に設けられたかご操作盤１の正面図、図２は図１の操作説明名板６の拡大図、図３は図１のインターホン呼出スイッチ４の断面および正面を示す図である。
実施の形態１に係るエレベータのかごの内壁には、かご操作盤１が設けられている。
このかご操作盤１には、ドアの開閉を制御するドア用の制御部と電気的に接続され、作動することでドアが開閉する開閉スイッチ２と、通信手段であるインターホン１２を制御する通信用の制御部３と接続され、作動することでインターホン１２が外部へ通信可能になるインターホン呼出スイッチ４と、制御部３に接続され、インターホン呼出スイッチ４が作動すると、点灯するランプであるインターホン呼出灯５と、インターホン呼出スイッチ４の操作方法が記載された操作説明名板６とが設けられている。
【０００９】
インターホン呼出スイッチ４は、かご内に固定され、円筒形状の固定部７と、この固定部７に設けられ、この固定部７に対して往復移動可能な本体部８とを有している。
固定部７は、一端部に径方向内側に延びた第１のフランジ部７ａを有し、他端部に径方向内側に延びた第２のフランジ部７ｂを有している。
第１のフランジ部７ａの内側には、第１の固定接点９ａが２ヶ所に設けられ、第２のフランジ部７ｂの内側には、第２の固定接点９ｂが２ヶ所に設けられている。
本体部８は、断面がＨ形状のつまみ部８ａと、このつまみ部８ａの端部と一体に設けられた連結部８ｂと、この連結部８ｂと反つまみ部８ａ側に一体に設けられ、固定部７内で移動可能な円筒形状の可動部８ｃとを有している。
可動部８ｃは、第１の固定接点９ａ側端部に径方向外側に延びた第１のフランジ部８ｅを有し、第２の固定接点９ｂ側端部に径方向外側に延びた第２のフランジ部８ｆを有している。
第１のフランジ部８ｅの外側には、第１の固定接点９ａと対向し、第１の固定接点９ａと接続可能の第１の可動接点１０ａが２ヶ所に設けられ、第２のフランジ部８ｆの外側には、第２の固定接点９ｂと対向し、第２の固定接点９ｂと接続可能の第２の可動接点１０ｂが２ヶ所に設けられている。
２ヶ所に設けられた第１の可動接点１０ａは、それぞれが電気的に接続されており、２ヶ所に設けられた第２の可動接点１０ｂも、それぞれが電気的に接続されている。
【００１０】
可動部８ｃと固定部７との間には、図示しないバネが設けられており、つまみ部８ａに対して軸線方向に力を加えていない状態では、第１の可動接点１０ａおよび第２の可動接点１０ｂは、どちらも第１の固定接点９ａおよび第２の固定接点９ｂと接触せず、離間されている。
固定部７の反つまみ部８ａ側端部には、つまみ部８ａに向かって突出し、先端部が可動部８ｃの内部にまで延びたストッパ１１が設けられている。このストッパ１１の先端部には、径方向外側に向かったフランジ部１１ａが形成されており、このフランジ部１１ａは、可動部８ｃの反つまみ部８ａ側端部の径方向内側に形成された突出部８ｄと当接可能である。
２ヶ所の第１の固定接点９ａは、制御部３と電気的に接続されており、２ヶ所の第２の固定接点９ｂも、制御部３と電気的に接続されている。
【００１１】
次に、実施の形態１に係るエレベータ装置のインターホン１２を通信可能にする手順について説明する。
まず、図４に示すように、つまみ部８ａをバネ力に逆らって押圧し、本体部８を固定部７側に移動させると、第１の固定接点９ａと第１の可動接点１０ａとが接続し、制御部３がこの本体部８の押圧を検出する。
本体部８の押圧が検出されると、制御部３内のタイマーが作動し、時間を計測する。
次に、所定時間内に、図５に示すように、つまみ部８ａをバネ力に逆らって引出し、本体部８を反固定部７側に移動させると、第２の固定接点９ｂと第２の可動接点１０ｂとが接続し、制御部３がこの本体部８の引出しを検出する。
本体部８の引出しが検出されると、制御部３は、電気信号により、インターホン呼出灯５を点灯させ、インターホン１２を通信可能にする。
インターホン１２が通信可能になり、所定の時間が経過すると、制御部３は、電気信号により、インターホン呼出灯５を消灯する。
【００１２】
次に、図６を用いて、インターホン呼出スイッチ４の検出およびインターホン呼出灯５の点灯の流れについて説明する。
利用者がインターホン呼出スイッチ４を押圧すると、第１の固定接点９ａと第１の可動接点１０ａとが接続し、常閉接点の押圧検出断路指令リレー接点１３ａを介して、押圧検出リレー１４が作動し、常開接点の押圧検出リレー接点１４ａが閉じる。
押圧検出リレー接点１４ａが閉じているので、インターホン呼出スイッチ４の押圧を解除しても、押圧検出リレー１４は作動したままである。
【００１３】
次に、インターホン呼出スイッチ４を引出すと、第２の固定接点９ｂと第２の可動接点１０ｂとが接続し、押圧検出リレー接点１４ａが閉じているので、引出検出リレー１５が作動し、常開接点の引出検出リレー接点１５ａが閉じる。
引出検出リレー接点１５ａが閉じているので、インターホン呼出スイッチ４の引出を解除しても、引出検出リレー１５は作動したままである。
押圧検出リレー接点１４ａと引出検出リレー接点１５ａとがともに閉じているので、常閉接点のスイッチ検出断路指令リレー接点１６ａを介して、スイッチ検出リレー１７が作動し、常開接点のスイッチ検出リレー接点１７ａが閉じる。
スイッチ検出リレー接点１７ａが閉じているので、常閉接点の呼出灯消灯指令リレー接点１８ａを介して、インターホン呼出灯５が点灯する。
インターホン１２が外部と通信可能になると、常開接点のインターホン応答検出リレー接点１９ａが閉じ、呼出灯消灯指令リレー１８が作動し、呼出灯消灯指令リレー接点１８ａが開く。その結果、インターホン呼出灯５が消灯する。
【００１４】
一方、インターホン呼出スイッチ４を押圧したままで、所定の時間が経過すると、タイマー２０が作動し、押圧検出断路指令リレー１３が作動して、押圧検出断路指令リレー接点１３ａが開く。その結果、押圧検出リレー１４が解除され、インターホン呼出スイッチ４が引出されても、引出検出リレー１５は作動しない。
また、スイッチ検出リレー１７が作動し、所定の時間が経過すると、タイマー２１が作動し、スイッチ検出断路指令リレー１６が作動して、スイッチ検出断路指令リレー１６が解除される。その結果、スイッチ検出リレー１７が解除され、スイッチ検出リレー接点１７ａが開き、インターホン呼出灯５が消灯する。
【００１５】
以上説明したように、実施の形態１に係るエレベータ装置によると、インターホン呼出スイッチ４を押圧した後にインターホン呼出スイッチ４を引出すことで、インターホン呼出スイッチ４が作動するので、利用者が誤ってインターホン呼出スイッチ４を押しても、インターホン１２が外部へ通信可能となることを防ぐことができる。
【００１６】
また、制御部３には、タイマー２０が設けられ、インターホン呼出スイッチ４が押圧された後、所定の時間内に、インターホン呼出スイッチ４が引出されることで、インターホン呼出スイッチ４が作動するので、利用者が誤ってインターホン呼出スイッチ４を押しても、自動的に元の状態に戻ることができる。
【００１７】
また、かごには、インターホン呼出スイッチ４が作動すると点灯するインターホン呼出灯５が設けられているので、利用者はインターホン呼出スイッチ４の作動を簡単に認識することができる。
【００１８】
また、インターホン１２が外部と通信可能になると、インターホン呼出灯５が消灯するので、利用者がインターホン呼出灯５を消し忘れることを防止することができる。
【００１９】
なお、上記実施の形態１では、通信手段がインターホン１２であるエレベータ装置について説明したが、勿論このものに限らず、例えば、スイッチが作動するとエレベータの外部管理室で点灯する非常灯を備えたエレベータ装置であってもよい。
【００２０】
また、上記実施の形態１では、インターホン呼出スイッチ４を押圧した後、逆方向にインターホン呼出スイッチ４を引出することで作動するエレベータ装置について説明したが、勿論このものに限らず、例えば、インターホン呼出スイッチ４を押圧した後、一方向に回転させることでインターホン呼出スイッチ４が作動するエレベータ装置であってもよく、さらには、上述した２段階の操作ではなく、３段階以上の操作でインターホン呼出スイッチ４が作動するエレベータ装置であってもよい。
【図面の簡単な説明】
【００２１】
【図１】実施の形態１に係るエレベータのかご内に設けられたかご操作盤の正面図である。
【図２】図１の操作説明名板の拡大図である。
【図３】図１のインターホン呼出スイッチの断面および正面を示す図である。
【図４】インターホン呼出スイッチを押圧したときの断面図である。
【図５】インターホン呼出スイッチを引出したときの断面図である。
【図６】インターホン呼出スイッチと制御部との回路図である。
【符号の説明】
【００２２】
１  かご操作盤、２  開閉スイッチ、３  制御部、４  インターホン呼出スイッチ、５  インターホン呼出灯、６  操作説明名板、７  固定部、７ａ  第１のフランジ部、７ｂ  第２のフランジ部、８  本体部、８ａ  つまみ部、８ｂ  連結部、８ｃ  可動部、８ｄ  突出部、８ｅ  第１のフランジ部、８ｆ  第２のフランジ部、９ａ  第１の固定接点、９ｂ  第２の固定接点、１０ａ  第１の可動接点、１０ｂ  第２の可動接点、１１  ストッパ、１２  インターホン、１３  押圧検出断路指令リレー、１３ａ  押圧検出断路指令リレー接点、１４  押圧検出リレー、１４ａ  押圧検出リレー接点、１５  引出検出リレー、１５ａ  引出検出リレー接点、１６  スイッチ検出断路指令リレー、１６ａ  スイッチ検出断路指令リレー接点、１７  スイッチ検出リレー、１７ａ  スイッチ検出リレー接点、１８  呼出灯消灯リレー、１８ａ  呼出灯消灯リレー接点、１９ａ  インターホン応答検出リレー接点、２０  タイマー、２１  タイマー。
【図１】
2008143673.tif 000003
【図２】
2008143673.tif 000004
【図３】
2008143673.tif 000005
【図４】
2008143673.tif 000006
【図５】
2008143673.tif 000007
【図６】
2008143673.tif 000008